(57)【要約】【課題】発光時において発光領域の周縁部の色味が中央部の色味に比べて際立つことを抑制できるバックライト装置および表示装置を提供することを目的とする。【解決手段】本発明の一の態様によれば、光源３５と、光源３５からの光Ｌ１を受ける入光面５０Ａおよび入光面５０Ａとは反対側に位置する出光面５０Ｂを有し、量子ドット５６およびバインダ樹脂５７を含む量子ドットシート５０であって、量子ドットシート５０に入射する光源３５からの光Ｌ１の一部を透過させ、かつ光源３５からの光Ｌ１の他の一部を量子ドット５６によって光源３５からの光Ｌ１とは異なる波長の光Ｌ２に変換して、出光面５０Ｂから量子ドットシート５０を透過する光源３５からの光Ｌ１および波長変換された光Ｌ２を出射させる量子ドットシート５０と、量子ドットシート５０の入光面５０Ａと出光面５０Ｂとの間に位置する側面５０Ｃに配置され、かつ少なくとも波長変換された光Ｌ２を反射する第１の反射体６０とを備える、バックライト装置２０が提供される。【選択図】図１
2016194996.tif 000002
【特許請求の範囲】
【請求項１】
光源と、
前記光源からの光を受ける入光面および前記入光面とは反対側に位置する出光面を有し、量子ドットおよびバインダ樹脂を含む量子ドットシートであって、前記量子ドットシートに入射する前記光源からの光の一部を透過させ、かつ前記光源からの光の他の一部を前記量子ドットによって前記光源からの光とは異なる波長の光に変換して、前記出光面から前記量子ドットシートを透過する前記光源からの光および波長変換された光を出射させる量子ドットシートと、
前記量子ドットシートの前記入光面と前記出光面との間に位置する側面に配置され、かつ少なくとも前記波長変換された光を反射する第１の反射体と
を備える、バックライト装置。
【請求項２】
前記第１の反射体が、前記量子ドットシートの側面を囲うように配置されている、請求項１に記載のバックライト装置。
【請求項３】
前記第１の反射体が、前記量子ドットシートの側面に配置され、かつ前記量子ドットシートの前記入光面及び前記出光面のいずれか一方の面または両方の面の一部を覆うように配置されている、請求項１に記載のバックライト装置。
【請求項４】
前記第１の反射体が、前記量子ドットシートの前記側面に密着している、請求項１に記載のバックライト装置。
【請求項５】
前記量子ドットが、１ｎｍ以上２０ｎｍ以下の粒径を有する、請求項１に記載のバックライト装置。
【請求項６】
前記光源が青色光を発し、かつ前記量子ドットが、前記青色光を緑色光に変換する第１の量子ドットと、前記青色光を赤色光に変換する第２の量子ドットとを含む、請求項１に記載のバックライト装置。
【請求項７】
前記第１の反射体が、白色樹脂シートおよび金属シートならびに光反射性樹脂硬化物から選択される、請求項１に記載のバックライト装置。
【請求項８】
前記第１の反射体が、樹脂で形成され、かつ、前記量子ドットシートのシート面に直交する面であって前記シート面の中心を通る面で切断した際に、前記第１の反射体の断面が前記量子ドットシートの側面から円弧状に突出した形状である、請求項１に記載のバックライト装置。
【請求項９】
前記量子ドットシートの入光面側に、前記光源からの光を受ける入光面および光を出射させる出光面を有する導光板をさらに備え、
前記導光板の入光面が、前記導光板の側面に位置し、
前記導光板の出光面が、前記導光板の板面のうち前記量子ドットシート側に位置し、
前記反射体が、前記導光板の入光面を除き、前記導光板の側面から前記量子ドットシートの側面までを囲うように配置されている、請求項１に記載のバックライト装置。
【請求項１０】
前記量子ドットシートの入光面側または出光面側に、前記量子ドットシートの周縁部の少なくとも一部に沿って配置された第２の反射体であって、前記第２の反射体に入射する前記光源からの光の少なくとも一部を反射する第２の反射体をさらに備える、請求項１に記載のバックライト装置。
【請求項１１】
前記量子ドットシートの出光面側に配置され、かつ集光機能および再帰反射機能を有するレンズシートをさらに備える、請求項１に記載のバックライト装置。
【請求項１２】
前記量子ドットシートの出光面側に配置された反射型偏光分離シートをさらに備える、請求項１に記載のバックライト装置。
【請求項１３】
請求項１に記載のバックライト装置と、
前記バックライト装置の出光側に配置された表示パネルと
を備える、表示装置。
【請求項１４】
請求項９に記載のバックライト装置と、
前記バックライト装置の出光側に配置された表示パネルと
を備える表示装置であって、
前記バックライト装置が前記量子ドットシートの出光面側に配置された反射型偏光分離シートをさらに備え、
前記第１の反射体が、前記導光板の入光面を除き、前記導光板の側面から前記反射型偏光分離シートの側面までを囲うように配置されている、表示装置。
【発明の詳細な説明】
【技術分野】
【０００１】
本発明は、バックライト装置および表示装置に関する。
【背景技術】
【０００２】
液晶表示装置等の透過型画像表示装置は、一般に、液晶表示パネル等の透過型画像表示パネルの背面側に配置され、透過型画像表示パネルを照明するバックライト装置を備えている。バックライト装置としては、エッジライト型や直下型のバックライト装置が知られている。
【０００３】
現在、色再現性を高めるために、量子ドットをバックライト装置に組み込むことが検討されている（特許文献１参照）。量子ドットは、光を吸収して異なる波長の光を放出することができる。量子ドットが放出する光の波長は、主として量子ドットの粒径に依存する。したがって、量子ドットが組み込まれたバックライト装置では、単一の波長域の光を投射する光源を用いながら、種々の色を再現することができる。例えば、青色光を発する光源を用いる場合、量子ドットシートが青色光を吸収して緑色光および赤色光を放出することもできる。このようなバックライト装置は色純度に優れることから、このバックライト装置を用いた表示装置は優れた色再現性を有することになる。
【先行技術文献】
【特許文献】
【０００４】
【特許文献１】特表２０１３−２１８９５３号公報
【発明の概要】
【発明が解決しようとする課題】
【０００５】
量子ドットをバックライト装置に組み込む方式としては、光源中に量子ドットを組み込むオンチップ方式、量子ドットを収容した透明チューブを光源と導光板との間に配置するオンエッジ方式、および導光板の出光側や光源上に量子ドットを含有するシートを配置するオンサーフェス方式が知られている。
【０００６】
しかしながら、オンチップ方式においては、光源中に量子ドットを組み込むので、量子ドットが高温に晒されてしまい、量子ドットの変換効率が劣る。また、オンエッジ方式においては、量子ドットを収容した透明チューブを光源と導光板との間に配置するので、サイズが大きくなってしまう。特に、モバイル機器においては、小型化が要求されるので、オンエッジ方式では対応することが難しい。
【０００７】
一方、オンサーフェス方式においては、上記の問題がなく、また従来から用いられてきたバックライト装置を利用することも可能である。このようなことから、現在、オンサーフェス方式で量子ドットをバックライト装置に組み込むことが検討されているが、オンサーフェス方式においては、発光時に、バックライト装置の発光領域の周縁部において、光源から発せられた光の色味が発光領域の中央部よりも強く現れてしまうという問題がある。この現象は、量子ドットのようにサイズが小さい（ｎｍサイズ）発光物質を用いた場合により顕著に表れる。例えば、光源として青色光を発する光源を用いた場合には、発光物質のサイズが小さい（ｎｍサイズ）とバックライト装置の発光領域の周縁部は中央部よりも青味が強く現れてしまう（ブルーイング）。
【０００８】
本発明は、上記課題を解決するためになされたものである。すなわち、発光時において発光領域の周縁部の色味が中央部の色味に比べて際立つことを抑制できるバックライト装置および表示装置を提供することを目的とする。
【課題を解決するための手段】
【０００９】
本発明の一の態様によれば、光源と、前記光源からの光を受ける入光面および前記入光面とは反対側に位置する出光面を有し、量子ドットおよびバインダ樹脂を含む量子ドットシートであって、前記量子ドットシートに入射する前記光源からの光の一部を透過させ、かつ前記光源からの光の他の一部を前記量子ドットによって前記光源からの光とは異なる波長の光に変換して、前記出光面から前記量子ドットシートを透過する前記光源からの光および波長変換された光を出射させる量子ドットシートと、前記量子ドットシートの前記入光面と前記出光面との間に位置する側面に配置され、かつ少なくとも前記波長変換された光を反射する第１の反射体とを備える、バックライト装置が提供される。
【００１０】
本発明の他の態様によれば、上記のバックライト装置と、前記バックライト装置の出光側に配置された表示パネルとを備える、表示装置が提供される。
【発明の効果】
【００１１】
本発明の一の態様のバックライト装置および他の態様の表示装置によれば、発光時において発光領域の周縁部の色味が中央部の色味に比べて際立つことを抑制できる。
【図面の簡単な説明】
【００１２】
【図１】第１の実施形態に係るバックライト装置を含む表示装置の概略構成図である。
【図２】第１の実施形態に係る他のバックライト装置を含む表示装置の概略構成図である。
【図３】第１の実施形態に係る他のバックライト装置を含む表示装置の概略構成図である。
【図４】第１の実施形態に係る他のバックライト装置を含む表示装置の概略構成図である。
【図５】第１の実施形態に係るバックライト装置の概略構成図である。
【図６】図５に示されるバックライト装置における発光領域を示した図である。
【図７】第１の実施形態に係る量子ドットシートの断面図である。
【図８】第１の実施形態に係る第１の反射体と量子ドットシートの平面図である。
【図９】図８の第１の反射体と量子ドットシートをＩ−Ｉ線に沿って切断した際の断面図である。
【図１０】第１の実施形態に係る他の第１の反射体と導光板の平面図である。
【図１１】第１の実施形態に係るレンズシートの斜視図である。
【図１２】図１１のレンズシートのＩＩ−ＩＩ線に沿った断面図である。
【図１３】第１の実施形態に係る反射型偏光分離シートの断面図である。
【図１４】第２の実施形態に係るバックライト装置を含む表示装置の概略構成図である。
【図１５】第２の実施形態に係る第１の反射体と量子ドットシートの断面図である。
【図１６】第３の実施形態に係るバックライト装置を含む表示装置の概略構成図である。
【図１７】第３の実施形態に係るバックライト装置の概略構成図である。
【図１８】図１５に示されるバックライト装置における発光領域を示した図である。
【図１９】第３の実施形態に係る第１の反射体、第２の反射体および量子ドットシートを第２の反射体側から平面視した図である。
【図２０】図１９の第１の反射体、第２の反射体および量子ドットシートをＩＩＩ−ＩＩＩ線に沿って切断した際の断面図である。
【発明を実施するための形態】
【００１３】
〔第１の実施形態〕
以下、本発明の第１の実施形態に係るバックライト装置および表示装置について、図面を参照しながら説明する。本明細書において、「シート」、「フィルム」、「板」等の用語は、呼称の違いのみに基づいて、互いから区別されるものではない。したがって、例えば、「板」は、シートやフィルムとも呼ばれるような部材も含む意味で用いられ、また「シート」はフィルムや板とも呼ばれ得るような部材も含む意味で用いられる。さらに、本明細書において「シート面」とは、対象となるシート状の部材を全体的かつ大局的に見た場合において対象となるシート状部材の平面方向と一致する面のことを指す。そして、本実施の形態においては、導光板４０の板面、量子ドットシート５０のシート面、レンズシート７０のシート面、レンズシート７５のシート面、反射型偏光分離シート８０のシート面、および表示パネル３０の表示面１０Ａは、互いに平行となっている。図１は本実施形態に係るバックライト装置を含む表示装置の概略構成図であり、図２〜４は本実施形態に係る他のバックライト装置を含む表示装置の概略構成図であり、図５は第１の実施形態に係るバックライト装置の概略構成図であり、図６は図５に示されるバックライト装置における発光領域を示した図であり、図７は本実施形態に係る量子ドットシートの断面図であり、図８は本実施形態に係る第１の反射体と量子ドットシートの平面図であり、図９は図８の第１の反射体と量子ドットシートをＩ−Ｉ線に沿って切断した際の断面図であり、図１０は本実施形態に係る他の第１の反射体と量子ドットシート導光板の平面図であり、図１１は本実施形態に係るレンズシートの斜視図であり、図１２は図１１のレンズシートのＩＩ−ＩＩ線に沿った断面図であり、図１３は本実施形態に係る反射型偏光分離シートの断面図である。
【００１４】
[表示装置]
図１に示される表示装置１０は、バックライト装置２０と、バックライト装置２０の出光側に配置された表示パネル３０とを備えている。表示装置１０は、画像を表示する表示面１０Ａを有している。図１に示される表示装置１０においては、表示パネル３０の表面が表示面１０Ａとなっている。
【００１５】
バックライト装置２０は、表示パネル３０を背面側から照らすものである。表示パネル３０は、バックライト装置２０からの光の透過または遮断を画素毎に制御するシャッターとして機能し、表示面１０Ａに像を表示するように構成されている。
【００１６】
＜＜＜表示パネル＞＞＞
図１に示される表示パネル３０は、液晶表示パネルであり、入光側に配置された偏光板３１と、出光側に配置された偏光板３２と、偏光板３１と偏光板３２との間に配置された液晶セル３３とを備えている。偏光板３１、３２は、入射した光を直交する二つの直線偏光成分（Ｓ偏光およびＰ偏光）に分解し、一方の方向（透過軸と平行な方向）に振動する直線偏光成分（例えば、Ｐ偏光）を透過させ、前記一方の方向に直交する他方の方向（吸収軸と平行な方向）に振動する直線偏光成分（例えば、Ｓ偏光）を吸収する機能を有している。
【００１７】
液晶セル３３には、一つの画素を形成する領域毎に、電圧の印加がなされ得るように構成されている。そして、電圧印加の有無によって液晶層３３中の液晶分子の配向方向が変化するようになる。一例として、入光側に配置された偏光板３１を透過した特定方向の直線偏光成分は、電圧印加がなされた液晶セル３３を通過する際にその偏光方向を９０°回転させ、その一方で、電圧印加がなされていない液晶セル３３を通過する際にその偏光方向を維持する。この場合、液晶セル３３への電圧印加の有無によって、偏光板３１を透過した特定方向に振動する直線偏光成分を偏光板３２に対して透過させ、または偏光板３２で吸収して遮断することができる。このようにして、表示パネル３０では、バックライト装置２０からの光の透過または遮断を画素毎に制御し得るように構成されている。なお、液晶表示パネルの詳細については、種々の公知文献（例えば、「フラットパネルディスプレイ大辞典（内田龍男、内池平樹監修）」２００１年工業調査会発行）に記載されており、ここではこれ以上の詳細な説明を省略する。
【００１８】
＜＜＜バックライト装置＞＞＞
図１に示されるバックライト装置２０は、エッジライト型のバックライト装置として構成され、光源３５と、光源３５の側方に配置された導光板４０と、導光板４０の出光側に配置された量子ドットシート５０と、量子ドットシート５０の側面５０Ｃに配置された第１の反射体６０と、量子ドットシート５０の出光面５０Ｂ側に配置されたレンズシート７０と、レンズシート７０の出光側に配置されたレンズシート７５と、レンズシート７５の出光側に配置された反射型偏光分離シート８０と、導光板４０の出光側とは反対側に配置された反射シート９０とを備えている。バックライト装置２０は、導光板４０、レンズシート７０、７５、反射型偏光分離シート８０、反射シート９０を備えているが、これらのシートは備えられていなくともよい。また、バックライト装置は、図２に示されるような直下型のバックライト装置であってもよい。図２に示されるバックライト装置２１においては、光源３５が量子ドットシート５０の直下に位置し、かつ光源３５と量子ドットシート５０との間には光拡散板１２０が配置されている。なお、バックライト装置２１においては、導光板は備えられていない。また、光拡散板１２０は、光源３５からの光を拡散させることができれば、特に限定されない。
【００１９】
本明細書において、「出光側」とは、各部材においてバックライト装置から出射する方向に向かう光が出射される側を意味する。
【００２０】
図５および図６に示すように、バックライト装置２０は、面状に光を発光する発光領域Ｒ１を有している。本実施形態において、図１、２および４に示すバックライト装置２０、２１、２３であれば、第１の反射体６０、６２が量子ドットシート５０の入光面５０Ａおよび出光面５０Ｂのいずれにも存在しないため、バックライト装置２０、２１、２３の発光面２０Ａ、２１Ａ、２３Ａ全体が発光領域Ｒ１に含まれる。一方、本実施形態における図３に示すバックライト装置２２の場合は、量子ドットシート５０の入光面５０Ａおよび出光面５０Ｂのうち、第１の反射体６１が覆っている部分については光が透過しないため、バックライト装置２２の発光面２２Ａの一部が発光領域Ｒ１には含まれない。しかし、量子ドットシート５０の入光面５０Ａおよび出光面５０Ｂの第１の反射体６１が覆っている部分が非常に小さい場合は、第１の反射体６１が覆うことで光が透過しない部分は無視できるため、バックライト装置２２の発光面２２Ａ全体を発光領域Ｒ１に含めることができる。本実施形態において、後述する発光領域Ｒ１の周縁部Ｐとは、図６に示されるように、発光領域Ｒ１内の周縁部付近の部分を意味し、また発光領域Ｒ１の中央部Ｃとは、図６に示されるように、発光領域Ｒ１の中央付近の部分を意味する。
【００２１】
＜＜光源＞＞
光源３５は、例えば、線状の冷陰極管等の蛍光灯や、点状の発光ダイオード（ＬＥＤ）や白熱電球等の種々の態様で構成され得る。本実施の形態において、光源３５は、導光板４０の後述する入光面４０Ｃの長手方向（図１においては、紙面に直交する方向、即ち、紙面の表裏方向）に沿って、並べて配置された多数の点状発光体、具体的には、多数の発光ダイオード（ＬＥＤ）によって、構成されている。
【００２２】
バックライト装置２０においては量子ドットシート５０が配置されていることに伴い、光源３５は、単一の波長域の光を放出する発光体のみを用いることができる。例えば、光源は、色純度の高い青色光を発する青色発光ダイオードのみを用いることができる。
【００２３】
＜＜導光板＞＞
導光板４０は、平面視形状（図１においては、上方から見下ろして見た形状）が四角形形状に形成されている。導光板４０は、表示パネル３０側の一方の主面によって構成された出光面４０Ａと、出光面４０Ａに対向するもう一方の主面からなる裏面４０Ｂと、出光面４０Ａおよび裏面４０Ｂの間を延びる側面と、を有している。側面のうちの光源３５側の側面が、光源からの光を受ける入光面４０Ｃとなっている。入光面４０Ｃから導光板４０内に入射した光は、入光面４０Ｃと、入光面４０Ｃと対向する反対面とを結ぶ方向（導光方向）に導光板内を導光され、出光面４０Ａから出射される。なお、導光板４０の側面は、フレーム（図示せず）によって覆われている。
【００２４】
導光板４０を構成する材料としては、表示装置に組み込まれる光学シート用の材料として広く使用され、優れた機械的特性、光学特性、安定性および加工性等を有するとともに安価に入手可能な材料、例えば、アクリル樹脂、ポリスチレン、ポリカーボネート、ポリエチレンテレフタレート、ポリアクリロニトリル等の一以上を主成分とする透明樹脂や、エポキシアクリレートやウレタンアクリレート系の反応性樹脂（電離放射線硬化型樹脂等）が好適に使用され得る。なお、必要に応じて、導光板４０中に光を拡散させる機能を有する拡散材を添加することもできる。拡散材としては、例えば、平均粒径が０．５μｍ以上１００μｍ以下のシリカ（二酸化珪素）、アルミナ（酸化アルミニウム）、アクリル樹脂、ポリカーボネート樹脂、シリコーン樹脂等の透明物質からなる粒子を用いることができる。
【００２５】
＜＜量子ドットシート＞＞
量子ドットシート５０は、図１および図７に示すように、導光板４０を介して光源３５からの光を受ける入光面５０Ａおよび入光面５０Ａとは反対側に位置する出光面５０Ｂを有する。
【００２６】
量子ドットシート５０は、量子ドット５６およびバインダ樹脂５７を含む量子ドット層５１と、量子ドット層５１の入光面５１Ａおよび出光面５１Ｂに形成されたバリアフィルム５２、５３と、バリアフィルム５２、５３上に配置された光拡散層５４、５５とを備えている。量子ドットシート５０は、量子ドット５６およびバインダ樹脂５７を含んでいればよく、バリアフィルム５２、５３や光拡散層５４、５５を備えていなくともよい。
【００２７】
導光板４０を介して光源３５からの光を量子ドットシート５０の入光面５０Ａに入射させると、図７に示されるように、光源３５からの光Ｌ１の一部は量子ドット５６間を通過し、量子ドット５６により波長変換されずに、量子ドットシート５０を透過する。このため、光源３５からの光Ｌ１の一部はそのまま量子ドットシート５０の出光面５０Ｂから出射する。一方で、図７に示されるように、光源３５からの光Ｌ１の他の一部は量子ドット５６によって光源３５からの光とは異なる波長の光Ｌ２に変換される。このため、波長変換された光Ｌ２が量子ドットシート５０の出光面５０Ｂから出射する。本明細書においては、「光源からの光」とは、光源から発せられた光であって、波長が変換されていない光を意味し、波長変換された光を含まない概念である。
【００２８】
＜量子ドット層＞
量子ドット層５１は、図７に示されるように、量子ドット５６とバインダ樹脂５７とを含む層である。また、量子ドット層５１は、光散乱材をさらに含んでいてもよい。量子ドット層５１の膜厚は、１０μｍ以上１００μｍ以下であることが好ましい。量子ドット層５１の膜厚がこの範囲であれば、ディスプレイの軽量、薄膜化に適しており、また、量子ドット層の厚みの振れ（製造公差）による色ムラを抑え込むことができるという効果がある。量子ドット層の膜厚は、例えば、走査型電子顕微鏡（ＳＥＭ）、透過型電子顕微鏡（ＴＥＭ）又は走査透過型電子顕微鏡（ＳＴＥＭ）を用いて撮影した断面の画像から２０箇所の厚みを測定し、２０箇所の値の平均値から算出できる。量子ドット層の膜厚がμｍオーダーの場合、ＳＥＭを用いることが好ましい。
【００２９】
（量子ドット）
量子ドット５６は、量子閉じ込め効果（quantum confinement effect）を有する粒径が数ｎｍ〜数十ｎｍまでの半導体粒子である。量子ドット５６の粒径は、好ましくは１ｎｍ以上２０ｎｍ以下である。量子ドット５６は、励起源から光を吸収してエネルギー励起状態に達すると、量子ドット５６のエネルギーバンドギャップに該当するエネルギーを放出する。よって、量子ドット５６の粒径又は物質の組成を調節すると、エネルギーバンドギャップを調節することができ、様々なレベルの波長帯のエネルギーを得ることができる。とりわけ、量子ドット５６は、狭い波長帯で強い蛍光を発生することができる。
【００３０】
具体的には、量子ドット５６は粒径が小さくなるに従い、エネルギーバンドギャップが大きくなる。すなわち、結晶サイズが小さくなるにつれて、量子ドットの発光は青色側へ、つまり、高エネルギー側へとシフトする。そのため、量子ドットの粒径を変化させることにより、紫外領域、可視領域、赤外領域のスペクトルの波長全域にわたって、その発光波長を調節することができる。例えば、材質にもよるが、量子ドットの粒径が１．５ｎｍ以上２．５ｎｍ以下の場合は青色光を発し、量子ドットの粒径が２．５ｎｍを超え４．５ｎｍ以下の場合は緑色光を発し、量子ドットの粒径が４．５ｎｍを超え７．５ｎｍ以下の場合は赤色光を発する。
【００３１】
本明細書における「青色光」とは、３８０ｎｍ以上４８０ｎｍ未満の波長域を有する光であり、「緑色光」とは、４８０ｎｍ以上５９０ｎｍ未満の波長域を有する光であり、「赤色光」とは、５９０ｎｍ以上７５０ｎｍ以下の波長域を有する光である。
【００３２】
量子ドットシート５０に含まれる量子ドット５６としては、１種類の量子ドットを用いてもよいが、粒径または材料が異なる少なくとも２種類以上の量子ドットを用いることも可能である。図７に示される量子ドットシート５０は、量子ドット５６として、第１の量子ドット５６Ａと、第１の量子ドットより粒径が大きい第２の量子ドット５６Ｂとを含んでいる。
【００３３】
上記したように量子ドットシート５０の出光面５０Ｂから出射される光としては光源３５からの光も存在するので、光源３５として青色光を発する光源を用い、第１の量子ドット５６Ａとして青色光を緑色光に変換する量子ドットを用い、第２の量子ドット５６Ｂとして青色光を赤色光に変換する量子ドットを用いた場合には、量子ドットシート５０から、青色光、緑色光、赤色光が混合した光を出射させることができる。
【００３４】
量子ドット５６は、所望の狭い波長域で強い蛍光を発生することができる。このため、バックライト装置２０は、色純度の優れた三原色の光で、表示パネル３０を照明することができる。この場合、表示パネル３０は、優れた色再現性を有することになる。
【００３５】
量子ドット５６は、主に、約２ｎｍ以上１０ｎｍ以下の半導体化合物からなるコアと、このコアと異なる半導体化合物からなるシェルとを有するコアシェル型構造を有していてもよい。シェルはコアを保護する保護層としての機能を有する。
【００３６】
コアとなる材料としては、例えば、ＭｇＳ、ＭｇＳｅ、ＭｇＴｅ、ＣａＳ、ＣａＳｅ、ＣａＴｅ、ＳｒＳ、ＳｒＳｅ、ＳｒＴｅ、ＢａＳ、ＢａＳｅ、ＢａＴｅ、ＺｎＳ、ＺｎＳｅ、ＺｎＴｅ、ＣｄＳ、ＣｄＳｅ、ＣｄＴｅ、ＨｇＳ、ＨｇＳｅ及びＨｇＴｅのようなＩＩ−ＶＩ族半導体化合物、ＡｌＮ、ＡｌＰ、ＡｌＡｓ、ＡｌＳｂ、ＧａＡｓ、ＧａＰ、ＧａＮ、ＧａＳｂ、ＩｎＮ、ＩｎＡｓ、ＩｎＰ、ＩｎＳｂ、ＴｉＮ、ＴｉＰ、ＴｉＡｓ及びＴｉＳｂのようなＩＩＩ−Ｖ族半導体化合物、Ｓｉ、Ｇｅ及びＰｂのようなＩＶ族半導体、等の半導体化合物又は半導体を含有する半導体結晶が挙げられる。また、ＩｎＧａＰのような３元素以上を含んだ半導体化合物を含む半導体結晶を用いることもできる。これらの中でも、作製の容易性、可視域での発光を得られる粒径の制御性等の観点から、ＣｄＳ、ＣｄＳｅ、ＣｄＴｅ、ＩｎＰ、ＩｎＧａＰ等の半導体結晶が好適である。
【００３７】
シェルは、励起子がコアに閉じ込められるように、コアを形成する半導体化合物よりもバンドギャップの高い半導体化合物を用いることで、量子ドットの発光効率を高めることができる。このようなバンドギャップの大小関係を有するコアシェル構造（コア／シェル）としては、例えば、ＣｄＳｅ／ＺｎＳ、ＣｄＳｅ／ＺｎＳｅ、ＣｄＳｅ／ＣｄＳ、ＣｄＴｅ／ＣｄＳ、ＩｎＰ／ＺｎＳ、Ｇａｐ／ＺｎＳ、Ｓｉ／ＺｎＳ、ＩｎＮ／ＧａＮ、ＩｎＰ／ＣｄＳＳｅ、ＩｎＰ／ＺｎＳｅＴｅ、ＩｎＧａＰ／ＺｎＳｅ、ＩｎＧａＰ／ＺｎＳ、Ｓｉ／ＡｌＰ、ＩｎＰ／ＺｎＳＴｅ、ＩｎＧａＰ／ＺｎＳＴｅ、ＩｎＧａＰ／ＺｎＳＳｅ等が挙げられる。
【００３８】
量子ドット５６は、シェルの外側にリガンドと呼ばれる有機ポリマーを有していてもよい。有機ポリマーは、量子ドットとバインダ樹脂との相溶性を高める機能を有しており、バインダ樹脂の種類によって適宜選択される。
【００３９】
量子ドット５６の形状は特に限定されず、例えば、球状、棒状、円盤状、その他の形状であってもよい。量子ドット５６の粒径は、量子ドット５６が球状でない場合、同体積を有する真球状の値とすることができる。
【００４０】
量子ドット５６の粒径、形状、分散状態等の情報については、透過型電子顕微鏡（ＴＥＭ）により得ることができる。また、量子ドットの結晶構造、粒径については、Ｘ線結晶回折（ＸＲＤ）により知ることができる。さらには、紫外−可視（ＵＶ−Ｖｉｓ）吸収スペクトルによって、量子ドットの粒径等に関する情報を得ることもできる。
【００４１】
（バインダ樹脂）
バインダ樹脂５７としては、特に限定されないが、光重合性化合物の重合物（架橋物）、エポキシ樹脂等の熱硬化合物の重合物（架橋物）、熱可塑性樹脂、またはシリコーン樹脂が挙げられる。光重合性化合物は、光重合性官能基を少なくとも１つ有するものである。本明細書における、「光重合性官能基」とは、光照射により重合反応し得る官能基である。光重合性官能基としては、例えば、（メタ）アクリロイル基、ビニル基、アリル基等のエチレン性二重結合が挙げられる。なお、「（メタ）アクリロイル基」とは、「アクリロイル基」および「メタクリロイル基」の両方を含む意味である。また、光重合性化合物を重合する際に照射される光としては、可視光線、並びに紫外線、Ｘ線、電子線、α線、β線、およびγ線のような電離放射線が挙げられる。
【００４２】
光重合性化合物としては、光重合性モノマー、光重合性オリゴマー、または光重合性プレポリマーが挙げられ、これらを適宜調整して、用いることができる。光重合性化合物としては、光重合性モノマーと、光重合性オリゴマーまたは光重合性プレポリマーとの組み合わせが好ましい。
【００４３】
光重合性モノマーは、重量平均分子量が１０００以下のものである。光重合性モノマーとしては、例えば、２−ヒドロキシエチル（メタ）アクリレート、２−ヒドロキシプロピル（メタ）アクリレート、２−エチルヘキシル（メタ）アクリレート等の水酸基を含むモノマーや、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールヘキサ（メタ）アクリレート、グリセロール（メタ）アクリレート等の（メタ）アクリル酸エステル類が挙げられる。
【００４４】
光重合性オリゴマーは、重量平均分子量が１０００を超え１００００以下のものである。上記光重合性オリゴマーとしては、２官能以上の多官能オリゴマーが好ましく、光重合性官能基が３つ（３官能）以上の多官能オリゴマーが好ましい。上記多官能オリゴマーとしては、例えば、ポリエステル（メタ）アクリレート、ウレタン（メタ）アクリレート、ポリエステル−ウレタン（メタ）アクリレート、ポリエーテル（メタ）アクリレート、ポリオール（メタ）アクリレート、メラミン（メタ）アクリレート、イソシアヌレート（メタ）アクリレート、エポキシ（メタ）アクリレート等が挙げられる。
【００４５】
光重合性プレポリマーは、重量平均分子量が１万を超えるものであり、重量平均分子量としては１万以上８万以下が好ましく、１万以上４万以下がより好ましい。重量平均分子量が８万を超える場合は、粘度が高いため塗工適性が低下してしまい、得られる量子ドット層の外観が悪化するおそれがある。上記多官能ポリマーとしては、ウレタン（メタ）アクリレート、イソシアヌレート（メタ）アクリレート、ポリエステル−ウレタン（メタ）アクリレート、エポキシ（メタ）アクリレート等が挙げられる。
【００４６】
＜光散乱材＞
光散乱材としては、量子ドット層５１に進入した光の進行方向を反射や屈折等によって変化させる作用を有するものであれば特に限定されないが、例えば光散乱粒子を用いることができる。光散乱粒子としては、無機粒子が好ましく、アンチモンドープ酸化スズ（ＡＴＯ）粒子、酸化インジウムスズ（ＩＴＯ）粒子、ＭｇＯ粒子、Ａｌ２Ｏ３粒子、ＴｉＯ２粒子、ＢａＴｉＯ３粒子、Ｓｂ２Ｏ５粒子、ＳｉＯ２粒子、ＺｒＯ２粒子及びＺｎＯ粒子からなる群より選択される少なくとも１種であることがより好ましい。量子ドット層５１にこれらの光散乱材を添加することで、量子ドット層５１に進入する光の利用効率を上げ、光波長変換を促進させることが出来る。
【００４７】
＜バリアフィルム＞
バリアフィルム５２、５３は、量子ドット５６を水分や酸素等から保護する機能を有している。すなわち、量子ドット５６は水分や酸素等で劣化し、発光効率が低下しておそれがあるため、バリアフィルム５２、５３によって量子ドットを水分や酸素から保護している。
【００４８】
バリアフィルム５２、５３は、水分や酸素等を遮断する機能を有すればよく、例えば、バリアフィルム５２、５３の構成材料としては、ポリエステル等の有機ポリマーまたは酸化ケイ素、酸化チタン、酸化アルミニウム等の酸化物等が挙げられる。ポリエステルとしては、例えば、ポリエチレンテレフタレートが挙げられる。バリアフィルム５２、５３は２層以上の多層構造であってもよい。例えば、バリアフィルム５２、５３は、ポリエステルからなる基材フィルムと、この基材フィルム上に設けられたバリア層とから構成されていてもよい。
【００４９】
基材フィルムの構成材料としては、例えば、ポリエステル（例えば、ポリエチレンテレフタレート、ポリエチレンナフタレート）、セルローストリアセテート、セルロースジアセテート、セルロースアセテートブチレート、ポリエステル、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリメタクリル酸メチル、ポリカーボネート、又は、ポリウレタン等の熱可塑性樹脂が挙げられる。基材フィルムの構成材料としては、好ましくは、ポリエステル（例えば、ポリエチレンテレフタレート、ポリエチレンナフタレート）、セルローストリアセテートの熱可塑性樹脂が挙げられる。
【００５０】
上記基材フィルムの厚みは、特に限定されないが、１０μｍ以上１５０μｍ以下であることが好ましい。１０μｍ未満であると、量子ドットシートのアッセンブリ、取扱い時にシワ、折れとなるおそれがあり、また１５０μｍを超えると、ディスプレイの軽量、薄膜化に適さなくなるおそれがある。上記基材フィルムの厚みのより好ましい下限は５０μｍ以上、より好ましい上限は１２５μｍ以下である。
【００５１】
バリア層の構成材料としては、上述したバリア性が得られるものであれば特に限定されないが、例えば、無機酸化物、金属、ゾルゲル材料等が挙げられる。具体的には、上記無機酸化物としては、例えば、酸化ケイ素、酸化アルミニウム、酸化チタン、酸化イットリウム、酸化ホウ素、酸化カルシウム、酸化窒化炭化ケイ素等が挙げられ、上記金属としては、例えば、Ｔｉ、Ａｌ、Ｍｇ、Ｚｒ等が挙げられ、上記ゾルゲル材料としては、例えば、シロキサン系ゾルゲル材料等が挙げられる。これらの材料は、単独で用いられてもよく２種以上を組み合わせて用いられてもよい。
【００５２】
上記バリア層の厚みは、特に限定されないが、０．０１μｍ以上１μｍ以下であることが好ましい。０．０１μｍ未満であると、バリア層のバリア性能が不充分となるおそれがあり、また１μｍを超えると、バリア層のクラック等によりバリア性能の劣化が起こりやすくなるおそれがある。上記バリア層の厚みのより好ましい下限は０．０３μｍ以上、より好ましい上限は０．５μｍ以下である。
【００５３】
上記バリア層の厚みは、断面顕微鏡観察において、２０カ所について測定したバリア層の厚みの平均値として求めることができる。また、上記バリア層は、単一の層であってもよく、複数の層が積層されたものであってもよい。上記バリア層が複数層積層されたものである場合、バリア層を構成する各層は、直接積層形成されていてもよく、貼り合わされていてもよい。
【００５４】
上記バリア層の下地層として、アンカー層が形成されていてもよい。これにより、バリア性や耐候性を高めることができる。アンカー層の形成材料としては、例えば、接着性樹脂、無機酸化物、有機酸化物、金属等が挙げられる。
【００５５】
＜光拡散層＞
光拡散層５４、５５は、量子ドットシート５０に入射する光や量子ドットシート５０から出射する光を拡散させる機能を有している。光拡散層５４、５５を設けることにより、量子ドットシート５０における光の変換効率を高めることができる。光拡散層５４、５５は、光拡散粒子（図示せず）とバインダ樹脂（図示せず）とを含んでいる。
【００５６】
量子ドットシート５０は、例えば、以下のようにして作製することができる。まず、２枚のバリアフィルム５２、５３を用意し、バリアフィルム５２、５３の片面（例えば、バリアフィルム５２、５３が基材フィルムとバリア層から構成されている場合には、バリア層側の面とは反対側の面）に、光硬化性の光拡散層用組成物を塗布し、乾燥させて、光拡散層用組成物の塗膜を形成する。そして、この塗膜に、紫外線を照射して、塗膜を硬化させて、光拡散層５４、５５を形成し、これにより、光拡散層５４付きバリアフィルム５２および光拡散層５５付きバリアフィルム５３を形成する。次いで、一方の光拡散層５４付きバリアフィルム５２の光拡散層５４側の面とは反対側の面に、量子ドット、光重合化合物および溶剤等を含む量子ドット層用組成物を塗布し、乾燥させて、量子ドット層用組成物の塗膜を形成する。次いで、この塗膜に光拡散層５５付きバリアフィルム５３の光拡散層５５側の面とは反対側の面が接するように、この塗膜上に光拡層５５付きバリアフィルム５３を配置し、紫外線を照射して、塗膜を硬化させて、量子ドット層５１を形成して、これにより、量子ドットシート５０が得られる。
【００５７】
＜＜第１の反射体＞＞
第１の反射体６０は、図１に示されるように、量子ドットシート５０の側面５０Ｃに配置されている。好ましくは、第１の反射体６０は量子ドットシート５０の側面５０Ｃを囲うように配置されている。本明細書において、「第１の反射体は量子ドットシートの側面を囲うように配置されている」とは、第１の反射体が量子ドットシートの全側面の大部分に配置されている状態を言い、典型的には、第１の反射体が量子ドットシートの全側面のうち四分の三以上に配置されている状態を言う。例えば、量子ドットシートが矩形状のシートである場合、量子ドットシートの四側面のうち、三側面以上に第１の反射体が配置されている状態を言う。さらに好ましくは、図８に示すように、第１の反射体６０が量子ドットシート５０の全側面５０Ｃを囲うように配置されている。量子ドットシート５０の全側面５０Ｃを囲うように第１の反射体６０を配置することは、量子ドットシート５０内の量子ドット５６によって波長変換が行われた光が漏れ出すのをより効果的に防止できる点で好ましい。
【００５８】
また、第１の反射体６０と量子ドットシート５０の側面５０Ｃとの間には、図８に示されるように空隙６４が存在してもよいが、第１の反射体６０は量子ドットシート５０の側面５０Ｃに密着していてもよい。このように第１の反射体６０を量子ドットシート５０の側面５０Ｃに密着させることで、量子ドットシート５０の側面５０Ｃにおける気体や液体に対するバリア性が高まり、水や酸素による量子ドットシート５０の外周部からの劣化を抑えることができるため好ましい。あるいは、量子ドット５６による波長変換が行われた光を透過させることができれば、空隙６４の代わりに透明樹脂等を量子ドットシート５０の側面５０Ｃと第１の反射体６０との間に配置し、密着性を向上させることで気体や液体に対するバリア性を高めてもよい。なお、第１の反射体６０と量子ドットシート５０の側面５０Ｃとの間に空隙６４が存在する場合は、空隙６４の幅は１ｍｍ以下であることが、反射効率維持の観点および省スペース化の観点から好ましい。
【００５９】
あるいは、図３に示す表示装置のように、第１の反射体６１が、量子ドットシート５０の側面５０Ｃに配置され、かつ量子ドットシート５０の入光面５０Ａ及び出光面５０Ｂのいずれか一方の面または両方の面の一部を覆うように配置されていてもよい。このように、側面５０Ｃに配置されるだけでなく入光面５０Ａ及び出光面５０Ｂのいずれか一方の面または両方の面の一部を覆うように配置されることにより、バリア性を高めることができる。ただし、量子ドットシート５０の入光面５０Ａへの入光および出光面５０Ｂからの出光を妨げないために、第１の反射体６１が入光面５０Ａ及び出光面５０Ｂを覆うのは、それぞれの面の外周より３ｍｍ以下の領域であることが好ましい。
【００６０】
バックライト装置が、量子ドットシート５０の入光面５０Ａ側に、光源３５からの光を受ける入光面４０Ｃおよび光を出射させる出光面４０Ａを有する導光板４０をさらに備え、かつ導光板４０の入光面４０Ｃが、導光板４０の側面に位置し、導光板４０の出光面４０Ａが、導光板４０の板面のうち量子ドットシート５０側の面に位置する場合、反射体が、導光板４０の入光面４０Ｃを除き、導光板４０の側面から量子ドットシート５０の側面５０Ｃまでを囲うように配置されてもよい。また、図４に示す表示装置のように、入光面４０Ｃが導光板４０の側面に位置する場合に、第１の反射体６２が、入光面４０Ｃを除いて、導光板４０の側面から反射側偏光分離シート８０の側面までを囲うように配置されていてもよい。量子ドットシート５０内の量子ドット５６によって波長変換が行われた光は量子ドットシート５０の外周部から漏れ出すことがあるが、このような配置により、第１の反射体６２がなければ漏れ出していた光をより多く反射することができる。この場合、光源からの入光を確保するために、図１０の平面図に示されるように導光板４０の入光面４０Ｃだけは第１の反射体６２で覆わないように配置する必要がある。
【００６１】
第１の反射体６０は、図９に示されるように少なくとも量子ドットシート５０内の量子ドット５６によって波長変換が行われた光Ｌ２を反射する機能を有していればよく、これ以外の光を透過する材料であってもよい。したがって、光源３５からの光Ｌ１は、第１の反射体６０によって反射されてもされなくてもよい。第１の反射体６０に用いられる材料としては、少なくとも量子ドットシート５０内の量子ドット５６によって波長変換が行われた光Ｌ２を反射する機能を有する材料を用いることができ、例えば、白色樹脂シートおよび金属シートならびに光反射性樹脂硬化物等から選択することができる。白色樹脂シートとしては、白色のポリエチレンテレフタレート（ＰＥＴ）樹脂シートや、透明樹脂シートの一面に白色の塗料を塗布したシート、超微細発砲シート（ポリエチレンテレフタレート（ＰＥＴ）やポリカーボネート樹脂など）が挙げられるが、これに限定されるものではない。金属シートとしては、アルミニウム、銀、クロムなど、反射率の高い金属から形成されるシートを用いることができ、これらの金属の薄膜を基板表面に蒸着させたものも用いることができる。基板表面への金属薄膜の形成は、蒸着に限らず、スパッタリング、ＣＶＤ法、メッキ、グラビアコーティング、グラビアリバースコーティング、スクリーン印刷、インクジェット方式による塗布等によって形成することも可能である。光反射性樹脂硬化物としては、雲母を酸化チタンや酸化鉄等の金属酸化物で被覆したパール顔料、炭酸カルシウム、酸化亜鉛等を含有する樹脂組成物を硬化させて得られる光反射性樹脂硬化物などが挙げられる。第１の反射体６０での反射は、正反射（鏡面反射）でもよく、拡散反射でもよい。第１の反射体６０での反射が拡散反射の場合には、当該拡散反射は、等方性拡散反射であってもよいし、異方性拡散反射であってもよい。なお、第１の反射体６２は、第１の反射体６０と同様の構成であるため、記載を省略する。
【００６２】
第１の反射体６０においては、図９に示されるように、量子ドット５６による波長変換が行われた光Ｌ２のうち、量子ドットシート５０の外周方向に漏れ出す光の一部が第１の反射体６０によって反射される。したがって、第１の反射体６０がなければ量子ドットシート５０の外周部から漏れてしまっていた量子ドット５６による波長変換が行われた光Ｌ２が反射によって戻ってくる。なお、光源３５からの光Ｌ１は、第１の反射体６０によって反射されてもされなくてもよい。第１の反射体６２も第１の反射体６０と同様の効果を奏するが、第１の反射体６０よりも広い範囲を囲っているため、第１の反射体６０よりも光の漏れを抑えることができる。
【００６３】
光源３５として青色光を発する光源を用い、量子ドット５６として青色光を緑色光に波長変換する量子ドットと、青色光を赤色光に波長変換する量子ドットとを用いた場合には、量子ドットによる波長変換が行われていない青色光と、量子ドットによる波長変換が行われた緑色光および赤色光のうち、量子ドットシート５０の出光面５０Ｂから表示パネル３０側に出射された緑色光および赤色光、ならびに量子ドットシート５０の外周部から出射され、第１の反射体６０によって表示パネル３０側に反射された緑色光および赤色光とが混合した光を出射させることができる。これは、第１の反射体６２の場合も同様である。
【００６４】
＜＜レンズシート＞＞
レンズシート７０、７５は、図１１および図１２に示されるように、入射した光Ｌ３の進行方向を変化させて出光側から出射させて、正面方向の輝度を集中的に向上させる機能（集光機能）とともに、入射した光Ｌ４を反射させて、量子ドットシート５０側に戻す機能（再帰反射機能）を有する。レンズシートのレンズ形状は三角柱状であってもよいし、波状や、例えば半球状のような椀状であってもよい。 そのようなレンズ形状を有するレンズシートとしては、プリズムシート（三角柱状）や、レンチキュラーレンズ（半円柱状）や、マイクロレンズアレイ（半球状）などが挙げられる。本実施形態では、レンズシートとして、レンズ形状が三角形状となったレンズシート（プリズムシート）について説明する。なお、レンズシート７０、７５は、配置が異なるだけであって、互いに同様の構成を有することができる。したがって、レンズシートについて共通する説明については、符号「７０、７５」を用いて説明する。以下、各構成要素の構成について説明する。
【００６５】
レンズシート７０、７５は、シート状の本体部７１と、本体部７１の出光側に並べて配置された複数の単位レンズ７２とを備えている。
【００６６】
本体部７１は、単位レンズ７２を支持するシート状部材として機能する。図１１に示されるように、本体部７１の出光側面７１Ａ上には、単位レンズ７２が隙間をあけることなく並べられている。したがって、レンズシート７０、７５の出光面は、単位レンズ７２のレンズ面７２Ａによって形成されている。その一方で、図１２に示すように、本実施の形態において、本体部７１は、出光側面７１Ａに対向する入光側面７１Ｂとして、レンズシート７０、７５の入光側面をなす平滑な面を有している。
【００６７】
単位レンズ７２は、本体部７１の出光側面７１Ａ上に並べて配列されている。図１２に示されるように単位レンズ７２は、単位レンズ７２の配列方向Ａと交差する方向に線状、とりわけ本実施の形態においては直線状に、延びている。また本実施の形態において、一つのレンズシート７０、７５に含まれる多数の単位レンズ７２は、互いに平行に延びている。また、レンズシート７０、７５の単位レンズ７２の長手方向Ｌは、レンズシート７０、７５における単位レンズ７２の配列方向Ａと直交している。
【００６８】
図１から理解され得るように、レンズシート７０の単位レンズ７２の配列方向とレンズシート７５の単位レンズ７２の配列方向とは交差、さらに限定的には直交している。
【００６９】
単位レンズ７２は、出光側に向けて幅が狭くなる三角柱状となっている。したがって、本体部７２のシート面の法線方向Ｎおよび単位レンズ７２の配列方向Ａの両方に平行な断面（レンズシートの主切断面とも呼ぶ）の形状は、出光側に突出する三角形形状となっている。とりわけ、正面方向輝度を集中的に向上させるという観点から、主切断面における単位レンズ７２の断面形状は二等辺三角形形状であるとともに、等辺の間に位置する頂角が本体部７１の出光側面７１Ａから出光側に突出するように、各単位レンズ７２が構成されている。
【００７０】
単位レンズ７２は、レンズシート７０、７５の再帰反射機能を向上させる観点から、８０°以上１００°以下の頂角を有することが好ましく、約９０°の頂角を有することがより好ましい。
【００７１】
レンズシート７０、７５の寸法は、一例として、以下のように設定され得る。まず、単位レンズ７２の具体例として、単位レンズ７２の配列ピッチ（図示された例では、単位レンズ７２の幅に相当）を１０μｍ以上２００μｍ以下とすることができる。ただし、昨今においては、単位レンズ７２の配列の高精細化が急速に進んでおり、単位レンズ７２の配列ピッチを１０μｍ以上５０μｍ以下とすることが好ましい。また、レンズシート７０、７５のシート面への法線方向Ｎに沿った本体部７１からの単位レンズ７２の突出高さを５μｍ以上１００μｍ以下とすることができる。さらに、単位レンズ７２の頂角θを６０°以上１２０°以下とすることができる。
【００７２】
レンズシート７０、７５は、基材上に単位レンズ７２を賦型することにより、または、押し出し成型により、作製することができる。本体部７１及び単位レンズ７２の構成材料としては、種々の材料を使用することができる。ただし、表示装置に組み込まれる光学シート用の材料として広く使用され、優れた機械的特性、光学特性、安定性および加工性等を有するとともに安価に入手可能な材料、例えば、アクリル樹脂、ポリスチレン、ポリカーボネート、ポリエチレンテレフタレート、ポリアクリロニトリル等の一以上を主成分とする透明樹脂や、エポキシアクリレートやウレタンアクリレート系の光重合性化合物が好適に使用され得る。
【００７３】
光重合性化合物を基材上に硬化させることによってレンズシート７０、７５を作製する場合、単位レンズ７２とともに、単位レンズ７２と基材との間に位置するようになるシート状のランド部を、基材上に形成するようにしてもよい。この場合、本体部７１は、基材と光重合性化合物の硬化物によって形成されたランド部とから構成されるようになる。一方、押し出し成型で作製されたレンズシート７０、７５においては、本体部７１と、本体部７１の出光側面７１Ａ上の複数の単位レンズ７２と、が一体的に形成され得る。
【００７４】
＜＜反射型偏光分離シート＞＞
反射型偏光分離シート８０は、図１３に示されるように、レンズシート７５から出射される光のうち、第１の直線偏光成分（例えば、Ｐ偏光）Ｌ５のみを透過し、かつ第１の偏光成分Ｌ５と直交する第２の直線偏光成分（例えば、Ｓ偏光）Ｌ６を吸収せずに反射する機能を有する。図１３に示すように、反射型偏光分離シート８０で反射された第２の直線偏光成分Ｌ６は反射シート９０等によって反射され、偏光が解消された状態（第１の直線偏光成分Ｌ５と第２の直線偏光成分Ｌ６とを両方含んだ状態）で、再度、反射型偏光分離シート８０に入射する。よって、反射型偏光分離シート８０は再度入射する光のうち第１の直線偏光成分Ｌ５を透過し、第１の直線偏光成分Ｌ５と直交する第２の直線偏光成分Ｌ６は再度反射される。以下、同上の過程を繰り返す事により、当初レンズシート７５から出光した光の７０〜８０％程度が第１の直線偏光成分Ｌ５となった光源光として出光される。従って、反射型偏光分離シート８０の第１の直線偏光成分（透過軸成分）Ｌ５の偏光方向と表示パネル３０の偏光板３１の透過軸方向とを一致させることにより、バックライト装置２０からの出射光は全て表示パネル３０で画像形成に利用可能となる。したがって、光源３５から投入される光エネルギーが同じであっても、反射型偏光分離シート８０を未配置の場合に比べて、より高輝度の画像形成が可能となり、又光源３５エネルギー利用効率も向上する。とりわけ、反射型偏光分離シート８０で反射された光は、量子ドットシート５０の量子ドット５６で波長変換が行われ得る。したがって、反射型偏光分離シート８０を配置することによって、量子ドットシート５０の変換効率がさらに上昇させることができる。したがって、更なる光源光の利用効率の改善を期待することができる。
【００７５】
反射型偏光分離シート８０としては、３Ｍ社から入手可能な「ＤＢＥＦ」（登録商標）を用いることができる。また、「ＤＢＥＦ」以外にも、Shinwha Intertek社から入手可能な高輝度偏光シート「ＷＲＰＳ」やワイヤーグリッド偏光子等を、反射型偏光分離シート８０として用いることができる。
【００７６】
＜＜反射シート＞＞
反射シート９０は、導光板４０の裏面４０Ｂから漏れ出した光を反射して、再び導光板４０内に入射させる機能を有する。反射シート９０は、白色の散乱反射シート、金属等の高い反射率を有する材料からなるシート、高い反射率を有する材料からなる薄膜（例えば金属薄膜）を表面層として含んだシート等から、構成され得る。反射シート９０での反射は、正反射（鏡面反射）でもよく、拡散反射でもよい。反射シート９０での反射が拡散反射の場合には、当該拡散反射は、等方性拡散反射であってもよいし、異方性拡散反射であってもよい。
【００７７】
本実施形態においては、第１の反射体６０が量子ドットシート５０の側面５０Ｃに配置され、少なくとも量子ドット５６によって波長変換が行われた光を反射するので、発光時において発光領域Ｒ１の周縁部Ｐの色味が中央部Ｃの色味に比べて際立つことを抑制できる。すなわち、発光時において発光領域Ｒ１の周縁部Ｐの色味が中央部Ｃの色味に比べて際立ってしまうのは、以下が原因の一つであると考えられる。まず、光源からの光は導光板によって出光側に進む光となるので、量子ドットシートを通り、概ね出光側に向けて出射する。これに対して、量子ドットは等方的に発光するので、量子ドットによる波長変換が行われた光は様々な方向を向いた光となっている。このため、量子ドットによる波長変換が行われていない光よりも量子ドットによる波長変換された光は量子ドットシートの外周部から漏れやすい。このことが原因で、発光領域の周縁部においては量子ドットによる波長変換が行われていない光の色味が強くなり、これにより、発光時において発光領域の周縁部の色味が中央部の色味に比べて際立ってしまうと考えられる。このことは、これまで用いられてきた蛍光体シートでは上記のような現象が余り顕著に生じていなかった点とも一致する。蛍光シートに用いられる従来の蛍光体では、粒子が大きい（μｍサイズ）ことから、光の進行方向前方への発光が強くなるため、波長変換された光の多くがバックライト装置の発光領域に向かって進行することとなり、量子ドットシートの外周部から漏れる光が少なく、発光領域の周縁部において色味が変化しにくい。一方で、量子ドットのように発光物質のサイズが小さい（ｎｍサイズ）と等方に発光するため、上記のように量子ドットシートの外周部から光が漏れ、発光領域の周縁部においては量子ドットによる波長変換が行われていない光の色味が強くなり、発光領域の色味の変化が顕著となっていたと考えられる。これに対し、本実施形態においては、量子ドットシート５０の側面５０Ｃに第１の反射体６０を配置し、量子ドットシート５０内の量子ドット５６によって波長変換が行われた光のうち、量子ドットシート５０の外周部から漏れた光を第１の反射体６０によって反射することができる。したがって、第１の反射体６０がなければ量子ドットシート５０の外周部から漏れてしまっていた、量子ドットシート５０内の量子ドット５６によって波長変換が行われた光が第１の反射体６０による反射によって戻ってくるため、発光領域Ｒ１の周縁部Ｐに到達する量子ドット５６による波長変換が行われた光の量を増大させることができる。これにより、発光時において発光領域Ｒ１の周縁部Ｐの色味が中央部Ｃの色味に比べて際立つことを抑制できる。
【００７８】
さらに、量子ドットは、酸素や水分によって劣化し、変換効率が低下しやすいため、量子ドットシート５０の側面が外気に曝されていると、量子ドットシート５０の周縁部での量子ドット５６が劣化して変換効率が低下することとなる。このことが原因で、発光領域の周縁部においては量子ドットによる波長変換が行われていない光の色味が強くなって、発光時において発光領域の周縁部の色味が中央部の色味に比べて際立ってしまうこともある。これに対して、第１の反射体６０が量子ドットシート５０の側面５０Ｃに密着されている態様では、量子ドットシートの周縁部の量子ドットの劣化による変換効率の低下が抑えられ、発光時において発光領域Ｒ１の周縁部Ｐの色味が中央部Ｃの色味に比べて際立つことをより効果的に抑制できる。
【００７９】
〔第２の実施形態〕
以下、本発明の第２の実施形態に係るバックライト装置および表示装置について、図面を参照しながら説明する。図１４は本実施形態に係るバックライト装置を含む表示装置の概略構成図であり、図１５は第１の反射体と量子ドットシートをこのシートのシート面に直交する面であって前記シート面の中心を通る面で切断した際の断面図である。なお、本実施形態において、第１の実施形態で説明した部材と同じ部材については、同じ符号が付してあるとともに、説明を省略するものとする。本実施形態においても、図１４に示すバックライト装置１１０であれば、第１の反射体１２０が量子ドットシート５０の入光面５０Ａおよび出光面５０Ｂのいずれにも存在しないため、バックライト装置１１０の発光面１１０Ａ全体が発光領域Ｒ１に含まれる。
【００８０】
図１４に示される表示装置２００は、バックライト装置１１０と、バックライト装置１１０の出光側に配置された表示パネル３０とを備えている。図１４に示されるバックライト装置１１０は、第１の実施形態と同様に、光源３５と、光源３５の側方に配置された導光板４０と、導光板４０の出光側に配置された量子ドットシート５０と、量子ドットシート５０の側面５０Ｃに配置された第１の反射体１２０と、量子ドットシート５０の出光面５０Ｂ側に配置されたレンズシート７０と、レンズシート７０の出光側に配置されたレンズシート７５と、レンズシート７５の出光側に配置された反射型偏光分離シート８０と、導光板４０の出光側とは反対側に配置された反射シート９０とを備えているが、第１の反射体１２０が第１の実施形態で説明した第１の反射体６０とは異なる。
【００８１】
＜＜第１の反射体＞＞
第１の反射体１２０は、図１４に示されるように、量子ドットシート５０のシート面に直交する面であってシート面の中心を通る面で切断した際に、第１の反射体１２０の断面が量子ドットシート５０の側面５０Ｃから円弧状に突出した形状で形成されており、かつ、量子ドットシート５０の側面５０Ｃに配置されている。第１の反射体１２０も、第１の反射体６０と同様に、量子ドットシート５０の側面５０Ｃを囲うように配置されているのが好ましい。図１４に示される第１の反射体１２０は量子ドットシート５０の側面５０Ｃに密着して配置されているが、第１の反射体１２０と量子ドットシート５０の側面５０Ｃとの間には空隙が存在していてもよい。
【００８２】
第１の反射体１２０は、第１の反射体６０と同様に、少なくとも量子ドットシート５０内の量子ドット５６によって波長変換が行われた光を反射する機能を有していればよく、これ以外の光を透過してもよい。
【００８３】
第１の反射体１２０は、透明樹脂を用いて形成されている。第１の反射体１２０は、量子ドットシートのシート面に直交する面であってシート面の中心を通る面で切断した際に、断面が量子ドットシートに対向する側とは反対側に円弧状に突出した形状を有しているため、その円弧状部分の内側から侵入した光をレンズのように反射することができる。
【００８４】
具体的には、図１５に示されるように、第１の反射体１２０に入射した量子ドット５６による波長変換が行われた光Ｌ２のうち、量子ドットシート５０の外周方向に漏れ出す光の一部が、第１の反射体１２０の量子ドットシート５０の側面５０Ｃから円弧状に突出した部分の内面で反射される。なお、光源３５からの光Ｌ１は、第１の反射体１２０によって反射されてもされなくてもよい。
【００８５】
このような第１の反射体１２０は、透明樹脂から構成されており、例えば、透明樹脂としては、特に限定されないが、上記バインダ樹脂５７と同様に、光重合性化合物の重合物（架橋物）、エポキシ樹脂等の熱硬化合物の重合物（架橋物）、熱可塑性樹脂、またはシリコーン樹脂等を用いることができる。透明樹脂の前駆体を量子ドットシート５０の側面５０Ｃに塗布すると、表面張力によって量子ドットシートの側面５０Ｃから円弧状に突出した形状となる。したがって、この状態で透明樹脂の前駆体を硬化させることによって、量子ドットシートのシート面に直交する面であってシート面の中心を通る面で切断した際に、断面が前記量子ドットシートの側面５０Ｃから円弧状に突出した形状である第１の反射体を形成することができる。あるいは、透明樹脂の前駆体を金属板などの支持体上に塗布し、その後乾燥および硬化した上で支持体から剥離し、このようにして得られた透明樹脂を接着剤等を用いて量子ドットシート５０の側面５０Ｃに接着することで第１の反射体１２０を形成してもよい。
【００８６】
本実施形態においては、量子ドットシート５０の側面５０Ｃに、量子ドットシート５０のシート面に直交する面であってシート面の中心を通る面で切断した際に、断面が量子ドットシート５０の側面５０Ｃから円弧状に突出した形状で形成された第１の反射体１２０を設けているので、第１の反射体１２０がなければ量子ドットシート５０の外周部から漏れてしまっていた量子ドット５６による波長変換が行われた光Ｌ２が、第１の反射体１２０による反射によって戻ってくる。このため、発光領域Ｒ１の周縁部Ｐに到達する量子ドット５６による波長変換が行われた光の量を増大させることができ、発光領域Ｒ１の周縁部Ｐにおいて、量子ドット５６による波長変換が行われた光の量を増大させることができる。これにより、発光時において発光領域Ｒ１の周縁部Ｐの色味が中央部Ｃの色味に比べて際立つことを抑制できる。
【００８７】
〔第３の実施形態〕
以下、本発明の第３の実施形態に係るバックライト装置および表示装置について、図面を参照しながら説明する。図１６は本実施形態に係るバックライト装置を含む表示装置の概略構成図であり、図１７は本実施形態に係るバックライト装置の概略構成図であり、図１８は図１７に示されるバックライト装置における発光領域を示した図であり、図１９は本実施形態に係る第１の反射体、第２の反射体および量子ドットシートの平面図であり、図２０は図１９の第１の反射体、第２の反射体および量子ドットシートをＩＩＩ−ＩＩＩ線に沿って切断した際の断面図である。なお、本実施形態において、第１の実施形態で説明した部材と同じ部材については、同じ符号が付してあるとともに、説明を省略するものとする。
【００８８】
図１６に示される表示装置３００は、バックライト装置２１０と、バックライト装置２１０の出光側に配置された表示パネル３０とを備えている。図１６に示されるバックライト装置２１０は、第１の実施形態と同様に、光源３５と、光源３５の側方に配置された導光板４０と、導光板４０の出光側に配置された量子ドットシート５０と、量子ドットシート５０の側面５０Ｃに配置された第１の反射体６０と、量子ドットシート５０の出光面５０Ｂ側に配置されたレンズシート７０と、レンズシート７０の出光側に配置されたレンズシート７５と、レンズシート７５の出光側に配置された反射型偏光分離シート８０と、導光板４０の出光側とは反対側に配置された反射シート９０とを備えている。バックライト装置２１０は、量子ドットシート５０の出光面５０Ｂ側に、第２の反射体６６をさらに備えている点で、第１の実施形態で説明したバックライト装置１０とは異なる。
【００８９】
バックライト装置２１０は、面状に光を発光する発光領域Ｒ１を有している。本実施形態においては、第２の反射体６６が存在している領域も発光するので、第２の反射体６６が存在している領域も発光領域Ｒ１に含めるものとする。すなわち、本実施形態における発光領域Ｒ１は、図１７および図１８に示されるように、第２の反射体６６が存在する領域および第２の反射体６６よりも内側の領域を合わせた領域となっている。本実施形態において、後述する発光領域Ｒ１の周縁部Ｐとは、図１８に示されるように、発光領域Ｒ１内の第２の反射体６６が存在している領域付近の部分を意味し、また発光領域Ｒ１の中央部Ｃとは、図１８に示されるように、発光領域Ｒ１の中央付近の部分を意味する。
【００９０】
＜＜第２の反射体＞＞
第２の反射体６６は、量子ドットシート５０の入光面５０Ａ側または出光面５０Ｂ側に、量子ドットシート５０の周縁部５０Ｄの少なくとも一部に沿って配置される。本実施形態では、図１８に示されるように、第２の反射体６６は量子ドットシート５０の出光面５０Ｂ側に量子ドットシート５０の周縁部５０Ｄの少なくとも一部に沿って配置されている。第２の反射体６６は、図１９に示されるように、量子ドットシート５０の周縁部５０Ｄに沿って枠状に配置されていることが好ましい。図１７に示されるバックライト装置２１０においては、第２の反射体６６は量子ドットシート５０の出光面５０Ｂ側に配置されている。ただし、第２の反射体６６が量子ドットシート５０の出光面５０Ｂ側に配置されていることは必須ではなく、第２の反射体６６は量子ドットシート５０の入光面５０Ａ側に配置されていてもよい。
【００９１】
第２の反射体６６は、第２の反射体６６に入射する光源３５からの光の少なくとも一部を反射するものである。すなわち、第２の反射体６６としては、光源３５からの光Ｌ１の少なくとも一部を反射するものであれば特に限定されず、量子ドット５６により波長変換された光Ｌ２の少なくとも一部を反射させるもの、および量子ドット５６により波長変換された光Ｌ２の少なくとも一部を通過させるもののいずれを用いてもよい。本実施形態では、図２０に示されるように、光源３５からの光Ｌ１のみならず、量子ドットにより波長変換された光Ｌ２も反射する互いに離間した複数の光反射部６７から構成されている。ここで、第２の反射体６６が複数の光反射部６７から構成されている場合、第２の反射体６６の形状が不明確になるおそれがあるが、第２の反射体６６の外縁は、外側に位置する光反射部６７の最も外側の箇所をそれぞれ直線で繋ぐことによって得られ（図１９における二点鎖線の部分）、第２の反射体６６の内縁は、内側に位置する光反射部６７の最も内側の箇所をそれぞれ直線で繋ぐことによって得られる（図１９における一点鎖線の部分）。光反射部６７の間には、光源３５からの光Ｌ１および波長変換された光Ｌ２を透過する光透過部６８が存在している。
【００９２】
本発明の第３の実施形態による第２の反射体は、図１６および１７に示される第２の反射体６６のような態様に限定されず、量子ドット５６による波長変換が行われた光Ｌ２の反射率よりも光源３５からの光Ｌ１の反射率が高い部材を用いることもできる。このような部材では、量子ドット５６による波長変換が行われた光Ｌ２の透過率よりも光源３５からの光Ｌ１の透過率が低くなっている。このような部材としては、例えば、バンドパスフィルタを用いることができる。バンドバスフィルタは、誘電体多層膜等から構成することが可能である。バンドパスフィルタとしては、例えば、珪素窒化物（ＳｉＮｘ）層と珪素酸化物（ＳｉＯ２）層を順次的に積層し、最上層と最下層に配置された層が同一の物質になるように２ｎ＋１個の層に積層されているものを用いることができる。この場合、珪素窒化物の屈折率は約１．８５であり、珪素酸化物の屈折率は約１．５であるので、薄膜の厚さを調節することによって、バンドパスフィルタを形成することができる。なお、上記ＳｉＮｘのｘは１以上１．３以下の値をとる。
【００９３】
図２０に示されるように、第２の反射体６６よりも内側の領域においては、量子ドットシート５０の出光面５０Ｂから出射する光源３５からの光Ｌ１および量子ドット５６により波長変換された光Ｌ２は、レンズシート７０に向けて進む。これに対し、第２の反射体６６が存在する領域においては、図２０に示されるように、第２の反射体６６の光反射部６７に入射する光源３５からの光Ｌ１および量子ドットにより波長変換された光Ｌ２は光反射部６７によって反射される。光反射部６７によって反射された光源からの光Ｌ１は再び量子ドットシート５０に戻されるので、これにより量子ドット５６によって波長変換される機会が増える。また、光反射部６７によって反射された量子ドット５６により波長変換された光Ｌ２は反射を繰り返し、光反射部６７が存在しない領域（光透過部６８や第２の反射体６６よりも内側の領域）から出射する。一方、図２０に示されるように、光透過部６８に入射する光源３５からの光Ｌ１および量子ドット５６により波長変換された光Ｌ２は光透過部６８をそのまま通過する。
【００９４】
光源３５として青色光を発する光源を用い、量子ドット５６として青色光を緑色光に波長変換する量子ドットと、青色光を赤色光に波長変換する量子ドットとを用い、光反射部として、青色光、緑色光および赤色光を反射する光反射部を用いた場合には、光反射部に入射した光源からの青色光および量子ドットにより波長変換された緑色光および赤色光は光反射部によって反射される。光反射部によって反射された青色光は再び量子ドットシートに戻されるので、これにより量子ドットによって波長変換される機会が増える。また、光反射部によって反射された緑色光および赤色光は反射を繰り返し、光反射部が存在しない領域（光透過部や第１の反射体よりも内側の領域）から出射する。一方、光透過部間の光透過部に入射した青色光、緑色光、および赤色光は光透過部をそのまま通過する。
【００９５】
＜光反射部＞
光反射部６７は、例えば、図１９に示されるように、量子ドットシート５０の周縁部５０Ｄに沿って列状に配置されてもよい。光反射部６７は互いに離間しているが、光反射部６７を互いに離間させることによって、空隙である光透過部６８から光源３５からの光Ｌ１および量子ドット５６により波長変換された光Ｌ２を透過させることができるとともに、光反射部６７が目立たなくなる。
【００９６】
光反射部６７の形状としては、例えば、円形や四角形が挙げられる。また、均一な外観を得る観点から、各光反射部が円形の場合には光反射部の直径は０．１ｍｍ以上０．５ｍｍ以下であることが好ましく、また各光反射部が四角形の場合には光反射部の１辺の長さは０．１ｍｍ以上０．５ｍｍ以下であることが好ましい。
【００９７】
光反射部６７としては、光源３５からの光Ｌ１の少なくとも一部を反射することができれば特に限定されないが、光反射部６７による色変化を防止する観点から、白色の光反射部が好ましい。光反射部６７は印刷によって形成することができる。光反射部６７に用いられる材料としては、雲母を酸化チタンや酸化鉄等の金属酸化物で被覆したパール顔料、炭酸カルシウム、酸化亜鉛等が挙げられる。これらの中でも、反射特性の観点から、パール顔料が好ましい。
【００９８】
第２の反射体６６は、図１９および図２０に示されるように、表示装置の額縁領域に対応する領域Ｒ２（図１９における点線の部分）内に配置されていることが好ましい。第２の反射体６６をこの領域Ｒ２内に配置することによって、表示装置３００にバックライト装置２１０を組み込んだときに、第２の反射体６６が視認されるのを確実に抑制できる。本明細書における表示装置の「額縁領域」とは、表示装置の表示領域の外側であり、かつ観察者には視認されない領域を意味する。
【００９９】
この領域Ｒ２は、表示装置３００の大きさにもよるが、例えば、量子ドットシート５０の端から、量子ドットシートの端から量子ドットシートの中央方向に３ｍｍ離れた位置までの領域とすることが可能である。
【０１００】
＜＜光透過部＞＞
光透過部６８は、光反射部６７間に位置している。図１９および図２０に示される光透過部６８は光反射部６７間の空隙である。図１９および図２０に示される光透過部６８は、光反射部６７間の空隙であるが、空隙に限らず、光源３５からの光Ｌ１および量子ドット５６により波長変換された光Ｌ２を透過させることができれば、透明樹脂等であってもよい。
【０１０１】
本実施形態においては、第１の反射体６０に加え、量子ドットシート５０の出光面５０Ｂ側に、量子ドットシート５０の周縁部５０Ｄの少なくとも一部に沿って配置され、光源３５からの光Ｌ１および量子ドット５６により波長変換された光Ｌ２を反射する互いに離間した複数の光反射部６７から構成された第２の反射体６６と、光反射部６７間に位置し、光源３５からの光Ｌ１および波長変換された光Ｌ２を透過する光透過部６８を設けているので、発光時において発光領域Ｒ１の周縁部Ｐの色味が中央部Ｃの色味に比べて際立つことをより抑制できる。本実施形態においては、量子ドットシート５０の出光面５０Ｂに光源３５からの光Ｌ１および量子ドットにより波長変換された光Ｌ２を反射する互いに離間した複数の光反射部６７から構成された第２の反射体６６を量子ドットシート５０の周縁部５０Ｄに沿って配置し、第２の反射体６６によって第１の反射体６０入射する光源３５からの光Ｌ１および量子ドット５６により波長変換された光Ｌ２を反射している。したがって、第２の反射体６６によって反射された光源からの光Ｌ１は、再び、量子ドットシート５０に戻されるので、量子ドット５６によって波長変換される機会が増大する。これにより、第１の反射体６０がなければ量子ドットシート５０の外周部から漏れてしまっていた量子ドット５６による波長変換が行われた光Ｌ２が反射によって戻ることができることに加え、第２の反射体６６を透過する光源３５からの光Ｌ１の量を低減できるとともに、第２の反射体６６を透過する量子ドット５６による波長変換が行われた光Ｌ２の量を増大させることができる。また、光反射部６７間には光源３５からの光Ｌ１および波長変換された光Ｌ２を透過する光透過部６８を設けているので、発光領域Ｒ１の周縁部Ｐにおける光源３５からの光Ｌ１が弱くなり過ぎることもない。これにより、発光時において発光領域Ｒ１の周縁部Ｐの色味が中央部Ｃの色味に比べて際立つことをより抑制できる。
【実施例】
【０１０２】
本発明を詳細に説明するために、以下に実施例を挙げて説明するが、本発明はこれらの記載に限定されない。
【０１０３】
＜量子ドット層用組成物の調製＞
まず、下記に示す組成となるように各成分を配合して、量子ドット層用組成物を得た。
（量子ドット層用組成物）
・エポキシアクリレート（製品名「ユニディックＶ−５５００」、ＤＩＣ社製）：９９質量部
・緑色光発光量子ドット（製品名「ＣｄＳｅ／ＺｎＳ  ５３０」、ＳＩＧＭＡ−ＡＬＤＲＩＣＨ社製、コア：ＣｄＳｅ、シェル：ＺｎＳ、平均粒径３．３ｎｍ）：０．２質量部
・赤色光発光量子ドット（製品名「ＣｄＳｅ／ＺｎＳ  ６１０ 」、ＳＩＧＭＡ−ＡＬＤＲＩＣＨ社製、コア：ＣｄＳｅ、シェル：ＺｎＳ、平均粒径５．２ｎｍ）：０．２質量部
・光重合開始剤（１−ヒドロキシシクロヘキシルフェニルケトン、製品名「Ｉｒｇａｃｕｒｅ（登録商標）１８４）」、ＢＡＳＦジャパン社製）：１質量部
【０１０４】
＜反射体の用意及び調製＞
下記に示す反射体材料を用いるか、もしくは、反射体用組成物を硬化させて第１の反射体を得た。
第１の反射体材料：
・ポリカーボネート樹脂を超微発砲させたシート（製品名「ＭＣＰＯＬＹＣＡ（登録商標）」（古河電工株式会社製））
第１の反射体用組成物：
・パール顔料を含有するインキ（株式会社昭和インク工業所製、パール顔料の粒径：１０〜５０μｍ、インキ中のパール顔料含有量：約１５重量％）
第２の反射体用組成物：
・パール顔料を含有するインキ（株式会社昭和インク工業所製、パール顔料の粒径：１０〜５０μｍ、インキ中のパール顔料含有量：約１５重量％）
【０１０５】
＜光拡散層用組成物の調製＞
下記に示す組成となるように各成分を配合して、光拡散層用組成物を得た。
（光拡散層用組成物）
・ペンタエリスリトールトリアクリレート：９９質量部
・光拡散粒子（架橋アクリル樹脂ビーズ、製品名「ＳＳＸ−１０５」、積水化成品工業株式会社製、平均粒径５μｍ）：１５８質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
・溶剤（メチルイソブチルケトン：シクロヘキサノン＝１：１質量比）：３８７質量部
【０１０６】
＜実施例１＞
まず、２枚のバリアフィルムを次のような方法で作成した。高周波スパッタリング装置において、電極に周波数１３．５６ＭＨｚ、電力５ｋＷの高周波電力を印加することにより、チャンバー内で放電を生じさせて、ポリエチレンテレフタレートフィルム（製品名「ルミラーＴ６０」、厚み５０μｍ、東レ社製）の片面にターゲット物質（シリカ）からなる、厚みが５０ｎｍであり、かつ屈折率が１．４６であるシリカ蒸着層を形成し、これにより、ポリエチレンテレフタレートフィルムおよびシリカ蒸着層からなるバリアフィルムを２枚形成した。次いで、両方のバリアフィルムにおけるシリカ蒸着層側の面とは反対側の面に光拡散層用組成物を、それぞれ塗布し、塗膜を形成した。次いで、形成した塗膜に対して、８０℃の乾燥空気を３０秒間流通させて乾燥させることにより塗膜中の溶剤を蒸発させた。その後、紫外線を積算光量が５００ｍＪ／ｃｍ２になるように照射して塗膜を硬化させることにより膜厚が１０μｍの光拡散層を形成し、光拡散層付きバリアフィルムを形成した。次いで、一方の光拡散層付きバリアフィルムのシリカ蒸着層側に量子ドット層用組成物を塗布し、塗膜を形成した。次いで、形成した塗膜に対して、８０℃の乾燥空気を３０秒間流通させて乾燥させることにより塗膜中の溶剤を蒸発させた。その後、その塗膜面にシリカ蒸着層が接するように他方の光拡散層付きバリアフィルムを配置し、紫外線を積算光量が５００ｍＪ／ｃｍ２になるように照射して塗膜を硬化させることにより、膜厚が８０μｍの量子ドット層を形成し、これにより、量子ドットシートを得た。
【０１０７】
（第１の反射体の作製）
次いで、ポリカーボネート樹脂を超微発砲させたシート（製品名「ＭＣＰＯＬＹＣＡ（登録商標）」（古河電工株式会社製））を用いて第１の反射体を作製し、量子ドットシートの側面（断面）を囲うように設置した。
【０１０８】
一方で、光源としてKindleFire（登録商標）HDX7のバックライト（発光ピーク波長が４５０ｎｍの青色発光ダイオード、導光板、２枚のプリズムシート、反射シートを含む）を用意した。２枚のプリズムシートは、シート状の本体部と、この本体部上に並べて配置され、かつ各々が配列方向と交差する方向に延びた三角柱状の複数の単位プリズムとを備え、単位プリズムの頂角が９０°となっているものであった。また、反射型偏光分離シートは、偏光板と一体となっているものであった。
【０１０９】
そして、光源側に導光板の入光面を配置し、さらに、観察者側に導光板の出光面を配置するとともに、導光板の出光面上に、第１の反射体付き量子ドット含有量子ドットシート、プリズムシート、プリズムシートをこの順で配置し、また導光板の背面に反射シートを配置し、バックライト装置を得た。観察者側のプリズムシートは、単位プリズムの配列方向がプリズムシートの単位プリズムの配列方向と直交するように配置された。
【０１１０】
＜実施例２＞
実施例２においては、第１の反射体として、ポリカーボネート樹脂を超微発砲させたシートの代わりに、第１の反射体用組成物を硬化して得た光反射性樹脂硬化物を用いたこと以外は、実施例１と同様にして、バックライト装置を作製した。光反射性樹脂硬化物を用いた第１の反射体としては、量子ドットシートの側面に第１の反射体用組成物をディッピング塗布し、硬化させたものを用いた。
【０１１１】
＜実施例３＞
実施例３においては、実施例１に用いた量子ドットシートの一方の面における量子ドットシートの端から２ｍｍまでの領域内に、第２の反射体用組成物を反射体用組成物がドット状となるように印刷し、８０℃の乾燥空気を３０秒間流通させて乾燥させて、大きさが２００μｍの反射ドットからなる第２の反射体を形成した以外は、実施例１と同様にして、バックライト装置を作製した。
【０１１２】
＜比較例＞
比較例においては、第１の反射体を配置しなかったこと以外は、実施例１と同様にして、バックライト装置を作製した。
【０１１３】
＜発光領域の色味測定＞
実施例１〜３に係るバックライト装置および比較例に係るバックライト装置において、発光時の発光領域の周縁部および中央部の色度を、分光放射計（製品名「ＳＲ−ＵＬ２」、トプコン社製）を用いてそれぞれ測定した。
【０１１４】
＜発光領域の目視評価＞
実施例１〜３に係るバックライト装置および比較例に係るバックライト装置において、発光時の発光領域の周縁部および中央部を目視で観察し、周縁部の色味が中央部の色味に比べて際立っているか観察した。
○：周縁部の色味と中央部の色味が同等または若干異なっていたが実用上問題のないレベルであった。
×：周縁部の色味が中央部の色味に比べて際立っていた。
【０１１５】
以下、結果を表１に示す。
【表１】
2016194996.tif 000003
【０１１６】
上記の結果から、比較例においては、発光時に発光領域の周縁部の色味が発光領域の中央部に比べて、際立っていた。これに対し、実施例１〜３においては、比較例に比べて、発光時における発光領域の周縁部の色味と中央部の色味の差が低減された。したがって、実施例１〜３において、発光時において発光領域の周縁部の色味が中央部の色味に比べて際立つことを抑制できたことが確認された。
【符号の説明】
【０１１７】
Ｌ１…光源からの光
Ｌ２…波長変換された光
１０、１００、２００、３００…表示装置
２０、２１、２２、２３、１１０、２１０…バックライト装置
３０…表示パネル
３５…光源
４０…導光板
４０Ａ…導光板の出光面
４０Ｃ…導光板の入光面
５０…量子ドットシート
５０Ａ…量子ドットシートの入光面
５０Ｂ…量子ドットシートの出光面
５０Ｃ…量子ドットシートの側面
５０Ｄ…量子ドットシートの周縁部
５６…量子ドット
６０、６１、６２、１２０…第１の反射体
６６…第２の反射体
６７…光反射部
６８…透過部
７０、７５…レンズシート
７１…本体部
７２…単位レンズ
８０…反射型偏光分離シート
【図１】
2016194996.tif 000004
【図２】
2016194996.tif 000005
【図３】
2016194996.tif 000006
【図４】
2016194996.tif 000007
【図５】
2016194996.tif 000008
【図６】
2016194996.tif 000009
【図７】
2016194996.tif 000010
【図８】
2016194996.tif 000011
【図９】
2016194996.tif 000012
【図１０】
2016194996.tif 000013
【図１１】
2016194996.tif 000014
【図１２】
2016194996.tif 000015
【図１３】
2016194996.tif 000016
【図１４】
2016194996.tif 000017
【図１５】
2016194996.tif 000018
【図１６】
2016194996.tif 000019
【図１７】
2016194996.tif 000020
【図１８】
2016194996.tif 000021
【図１９】
2016194996.tif 000022
【図２０】
2016194996.tif 000023